(57)【特許請求の範囲】
【請求項１】
複数枚のスラットと、これらのスラットの巻上及び巻戻を行う巻上巻戻機構と、この巻上巻戻機構により巻上げられたり、巻戻されるスラットをガイドするガイド機構と、このガイド機構を介して建物の開口部を閉じたスラットを揺動させる揺動機構を備えたシャッターにおいて、前記揺動機構は、前記巻上巻戻機構によりスラットが揺動可能な状態で巻戻されつつ、最下段のボトムスラットがロックされると伸長状態となる第１、第２の伸縮自在手段を備え、伸長状態の後、前記巻上巻戻機構によりスラットが巻上られることにより、第２の伸縮自在手段がスラットを揺動させることを特徴とするシャッター。
【請求項２】
複数枚のスラットと、これらのスラットの巻上及び巻戻を行う巻上巻戻機構と、この巻上巻戻機構により巻上げられたり、巻戻されるスラットをガイドするガイド機構と、このガイド機構を介して建物の開口部を閉じたスラットを揺動させる揺動機構を備えたシャッターにおいて、前記揺動機構は、ボトムスラットの次段スラットから所定位置のスラットまでの各スラットの両端にそれぞれ固定された第１及び第２の軸手段と、前記第１の軸手段を回転可能に取付ける第１の取付手段及び前記第２の軸手段を回転可能に取付ける第２の取付手段と、下端が前記ボトムスラットの両端にそれぞれ固定され、且つ、上端が所定位置にそれぞれ取付けられると共に、下端と上端間において、前記第１の取付手段を介して、各スラットを連結する第１の伸縮自在手段と、前記ボトムスラットを前記ガイド機構側にロックするロック手段と、下端が前記第２の取付手段を介して前記次段スラットにそれぞれ取付けられ、上端が前記第２の取付手段を介して所定位置のスラットにそれぞれ取付けられ、且つ、下端と上端間において前記第２の取付手段を介して各スラットを連結すると共に、前記ロック手段により、前記ボトムスラットがロックされた状態において、前記巻上巻戻機構の操作により、前記第１の軸手段を軸として各スラットを揺動させる第２の伸縮自在手段からなることを特徴とするシャッター。
【請求項３】
前記ロック手段のロックを保持する保持装置が設けられていることを特徴とする請求項２に記載のシャッター。
【発明の詳細な説明】
【０００１】
【発明の属する技術分野】
この発明は、建物の開口部を開閉することができるシャッターに関する。
【０００２】
【従来の技術】
建物の開口部を開閉するスラットを備えたシャッターは、防犯という基本的な機能に加えて、スラットにより建物の開口部を閉鎖した状態において、通風、採光或いは調光の機能も要求されている。
これら諸機能の発揮が期待されるシャッターには、スラットをシャッターボックスに収納する方式の相違により、畳上げ式のシャッターと、巻上げ式のシャッターに大別できる。
畳上げ式のシャッターは、スラットにより開口部を閉鎖した状態において、各スラットを揺動させることが容易な構造であって、十分な通風や採光等の機能を発揮している。
【０００３】
【発明が解決しようとする課題】
しかし、巻上げ式のシャッターにおける通風等のための機構は、例えば上下に連続する各スラット間に設けた通孔によるものが多く、十分な通風、採光、調光等の機能が発揮されていなかった。
また、各スラットを揺動できるものがあっても、その操作性の煩わしさがあった。
【０００４】
そこで、本発明は、巻上げ式のシャッターにおいて、各スラットの揺動操作性を快適にすることにより、防犯のみらなず、十分な通風、採光、調光等の機能を発揮することができるシャッターを提供することを主な目的とする。
また新規な構成のスラットを提供すること、またメンテナンスが容易なシャッターを提供することを目的とする。
【０００５】
【課題を解決するための手段】
上記目的を達成するため、複数枚のスラットと、これらのスラットの巻上及び巻戻を行う巻上巻戻機構と、この巻上巻戻機構により巻上げられたり、巻戻されるスラットをガイドするガイド機構と、このガイド機構を介して建物の開口部を閉じたスラットを揺動させる揺動機構を備えたシャッターにおいて、前記揺動機構は、前記巻上巻戻機構によりスラットが揺動可能な状態で巻戻されつつ、最下段のボトムスラットがロックされると伸長状態となる第１、第２の伸縮自在手段を備え、伸長状態の後、前記巻上巻戻機構によりスラットが巻上られることにより、第２の伸縮自在手段がスラットを揺動させることを特徴とするシャッター（請求項１に記載の発明）とする。
のシャッターによれば、スラットの開閉操作とスラットの揺動操作を、同一装置により行うことができ、加えてスラット巻上操作のみにより、スラットを揺動させ開放させることができ、揺動の操作性を快適なものにすることができる。
【０００６】
上記目的を達成するため、本発明は、複数枚のスラットと、これらのスラットの巻上及び巻戻を行う巻上巻戻機構と、この巻上巻戻機構により巻上げられたり、巻戻されるスラットをガイドするガイド機構と、このガイド機構を介して建物の開口部を閉じたスラットを揺動させる揺動機構を備えたシャッターにおいて、前記揺動機構は、ボトムスラットの次段スラットから所定位置のスラットまでの各スラットの両端にそれぞれ固定された第１及び第２の軸手段と、前記第１の軸手段を回転可能に取付ける第１の取付手段及び前記第２の軸手段を回転可能に取付ける第２の取付手段と、下端が前記ボトムスラットの両端にそれぞれ固定され、且つ、上端が所定位置にそれぞれ取付けられると共に、下端と上端間において、前記第１の取付手段を介して、各スラットを連結する第１の伸縮自在手段と、前記ボトムスラットを前記ガイド機構側にロックするロック手段と、下端が前記第２の取付手段を介して前記次段スラットにそれぞれ取付けられ、上端が前記第２の取付手段を介して所定位置のスラットにそれぞれ取付けられ、且つ、下端と上端間において前記第２の取付手段を介して各スラットを連結すると共に、前記ロック手段により、前記ボトムスラットがロックされた状態において、前記巻上巻戻機構の操作により、前記第１の軸手段を軸として各スラットを揺動させる第２の伸縮自在手段からなることを特徴とする（請求項２に記載の発明）。
【０００７】
ここに、第１，第２の伸縮自在手段は、それぞれ上下端間において伸長又は短縮する伸縮機能を備えている。
上記構成のシャッターにおいて、上記巻上巻戻機構により、スラットの巻戻し操作を行い、前記ガイド機構を介して、スラットにより前記開口部を閉幕するようにすると、前記ボトムスラットが前記ロック手段によりロックされる。
この時点において、前記ボトムスラットや各スラットの自重が、第１，第２の軸手段及び第１，第２の取付手段を介して、第１，第２の伸縮自在手段に伝達され、第１，第２の伸縮自在手段は伸長状態にあり、各スラットは揺動可能な状態になっている。
そこで、スラットの巻戻しとは逆に、前記巻上巻戻機構を操作して、スラットを巻上げると、第１の伸縮自在手段の下端は、上述のようにロックされているボトムスラットを介して固定されているので、第１の伸縮自在手段は、伸長状態を維持したまま、巻上げられない。
一方、スラットの巻上力は、第２の伸縮自在手段を巻上げ、その結果、第１の取付手段に回動可能に取付けられている第１の軸手段を軸として、第２の軸手段が扇状に回動し、各スラットを揺動させることができる。
よって、スラットの開閉操作とスラットの揺動操作を、同一装置により行うことができ、加えてスラット巻上操作のみにより、スラットを揺動させ開放させることができ、揺動の操作性を快適なものにすることができる。
【０００８】
前記ロック手段のロックを保持する保持装置を設けることが望ましい（請求項３に記載のシャッター）。
スラットの揺動により、水平方向に回動した開放状態のスラットであっても、保持装置により、ロック手段のロックが保持されるので、防犯機能の万全が図られる。
【０００９】
前記スラットは、スラット本体とこのスラット本体の両端に取付けられたスラットホルダーからなり、前記スラット本体は、中空の押出型材であって、室内側の裏面の両端近辺に設けられた固着孔部に、前記スラットホルダーの固着突起を嵌着して、スラットホルダーを取付けるようにすることが望ましい。
スラットの両端部を構成する従来の取付部は、ネジ等により、スラット本体に固定されていた。この発明のスラットでは、スラット本体が中空の押出型材からなり、十分な剛性を備えている特徴を生かし、スラット本体の室内側面の両端近辺に設けられた固着孔部に、前記スラットホルダーの固着突起を嵌着して、スラット本体にスラットホルダーを取付けるようにしたので、製造工程の簡略化及び低コスト化を図ることができる。
【００１０】
上記各発明において、スラット巻取部と、このスラット巻取部を駆動するスラット巻取駆動部からなる巻上巻戻機構に関し、スラット巻取駆動部をスラット巻取部から分離させることが望ましい。
従来の巻上げ式のシャッターにおいては、スラット巻取部とスラット巻取駆動部は、同軸に取付けられていた。しかし、この従来の構造では、駆動部にトラブルが発生した場合に、トラブルの発生個所がスラットに妨げられて、発見し難い場合があった。一方、この発明ではスラット巻取駆動部をスラット巻取部から分離させ、別体とし、それぞれ各部を見易くし、上記巻上巻戻機構のメンテナンスの容易化を図ることができる。
【００１１】
上記発明において、前記スラット巻取駆動部は、建物躯体とスラット間に配置されることが望ましい。
従来の巻上げ式シャッターは、スラット巻取駆動部及び室内側に設けられた操作手段間にシャフト等を介在させていたため、室内側の壁に穴を開ける等の造作が必要であった。その造作により、内部壁の意匠性を害する場合もあった。一方、スラット巻取部から分離したスラット巻取駆動部を設けた本発明では、そのスラット巻取駆動部を建物躯体とスラット間に配置することができ、このような配置により、従来例のような内部壁の造作は不要となり、また室内側の意匠性に優れ、さらにメンテナンスの容易性を高めることができる。
【００１２】
【発明の実施の形態】
上記本発明の実施形態について、図面を参照しつつ説明する。
図１乃至図３は、本発明に係るシャッターの概略構成を示すシャッター側面断面図、同正面の片側断面図、同平面の片面断面図である。図４は、スラットにより建物の開口部を閉じた状態での下部スラットの要部正面図、図５は、同側面断面図、図６は、同上部スラットの要部正面図、図７は、同側面断面図である。図８は、シャッターの揺動機構の要部斜視図、図９は、同分解斜視図、図１０（イ）及び図１１（イ）は、同シャッターの揺動機構の横断面図、図１０（ロ）及び図１１（ロ）は、同揺動機構の縦断面図である。
なお、これらの各図及び後述する各図において、同一の構成は同一の符号を付し、重複する説明を省略する。
【００１３】
図１乃至図３に示したように、本発明に係るシャッターは、建物の開口部Ｏを開閉する複数枚のスラット１，１，１…と、これらのスラット１，１，１…を開口部Ｏ上方の躯体Ｋに取付けられたシャッターボックス２内に巻上げたり、そのボックス２内から巻戻す巻上巻戻機構３と、それらのスラット１，１，１…の巻上、巻戻をガイドするため、開口部Ｏの両側に沿って設けられたガイド機構４，４を備えており、以下に詳述する揺動機構５により、スラット巻上操作のみにより、スラット１，１，１…を揺動させることができるようになっている。
なお、揺動機構５は、それぞれ各スラットの両端に設けられているが、以下の説明では、一方の揺動機構５を他方の揺動機構５に代表させて説明する。
【００１４】
前記揺動機構５は、図４乃至図７に示したように、ボトムスラット１０直上の次段スラット１１から、上部の所定位置のスラット１２までの各スラット１の側端に固定された第１の軸手段としての長ピン５０，５０，５０… と、これらの各長ピン５０…を回転可能に取付ける第１の取付手段としての外吊金具５１，５１，５１…と、各吊金具５１を所定の間隔で連結する第１の伸縮自在手段としての第１のボールチェーン５２と、
前記次段スラット１１から、前記スラット１２までの各スラットの側端に固定された第２の軸手段としての短ピン５３，５３，５３… と、各短ピン５３を回転可能に取付ける第２の取付手段としての内吊金具５４，５４，５４…と、これら内吊金具５４を所定の間隔で連結する第２の伸縮自在手段としての第２のボールチェーン５５と、
前記ボトムスラット１０を前記ガイド機構４側にロックするロック手段６からなる。
【００１５】
前記長ピン５０は、各スラット１が揺動する際の軸となるもので、図４等に示したように、各スラット１の側端上部から、第２のボールチェーン５５より外側に伸びて、各外吊金具５１に回転可能に取付けられている。
【００１６】
ここで、図８に基づいて前記外吊金具５１の構成例を説明する。
この外吊金具５１は、略長方体をなし、その内部には、鉛直方向に貫通するボールチェーン用孔５１０と、前記ボールチェーン５２に外吊金具５１を取付けるストッパ用孔５１１と、前記長ピン用孔５１２が設けられている。
そして、前記長ピン５０の先端が臨む部分は、略長方体状に切欠かれている。
【００１７】
前記第１のボールチェーン５２は、ボール５２０と隣接するボール５２０間の各孔５２１に出没可能、かつ、離脱不能なピン５２２を複数組合わせてなり、ピン５２２の高さ寸法に略等しい幅で伸縮する（図１０，図１１参照）。
そして、スラット１，１，１…の自重が、前記各長ピン５０、前記外吊金具５１を介して、前記第１のボールチェーン５２に伝達されることにより、第１のボールチェーン５２は伸長状態になり、各スラット１が揺動可能な状態になる。
また、スラット１，１，１…を巻上げる場合には、後述する巻上巻戻機構３の巻取体３０２の回転に追随できるようになっている。
【００１８】
第１のボールチェーン５２の下端は、図４に示したように中間金具５６及びこの金具５６を固定する腕部材５７を介してボトルスラット１０の側面に固定されている。
一方、前記第１のボールチェーン５２の上端は、図６に示したように、中間金具５６を介して、付勢手段としてのバネ５８に取付けられ、そのバネ５８はスラット側端に固定されている長ピン５０ａに係止されている。
このバネ５８は、スラットの巻戻しの際には、前記第１のボールチェーン５２の伸長動作を緩和し、またスラットの揺動の際には、第１のボールチェーン５２に加えられるスラットの巻上げ力を吸収する等の作用を果すが、必須の部材ではない。よって、前記中間金具５６を所定位置の長ピンに直接固定してもよい。
上端と下端間の第１のボールチェーン５２は、図９に示したように、前記吊金具５１のボールチェーン用孔５１０に挿通され、前記ストッパ用孔５１１から差入れられたストッパ５１３により、前記吊金具５１が取付けられている。
【００１９】
このストッパ５１３には、その弾性を利用した一対のフック５１３ａが形成されており、このストッパ５１３に対応させて、前記ストッパ用孔５１１にも前記フック５１３ａの先端を係止させる段差部５１１ａと前記フック５１３ａの基端を係止部させる段差部５１１ｂがそれぞれ形成されている。
そして、図１０及び図１１の（イ）、（ロ）に示したように、ボール５２０ａ，５２０ａ間のピン５２１ａを、一対のフック５１３ａ間にホールドし、各スラット１が揺動できる間隔で、各吊金具５１をボールチェーン５２に取付けている。
【００２０】
前記短ピン５３は、前記長ピン５０を中心にして回動動作し、各スラット１を揺動させるもので、図４等に示したように、各スラット１の側端中央部から突出し、各内吊金具５４に回転可能に取付けられている。
この内吊金具５４は、前記短ピン５３を取付ける短ピン用孔５４２を設けた他は、前記外吊金具５１と略同様に構成されている。
また、前記第２のボールチェーン５５は、上記第１のボールチェーン５２と略同一の構成であって、異なる点は、図４に示したようにその下端が次段スラット１１の内吊金具５４を介して取付けられている点と、上端が図６に示したように最上端スラット１３の内吊金具５４に固定されている点である。
なお、図６に示したように、最上端スラット１３乃至スラット１５の上下端部１ａ，１ｂ及びこれらに対応する第２のボールチェーン５５は、揺動しないように構成されている。
またスラット１６の下端部１ｂ及び前記スラット１２以下のスラットの下端部１ｂは、断面略逆Ｌ字状に形成され、一方、前記スラット１２以下のスラットの上端部１ａは、逆Ｌ字状の前記下端部１ｂに常時係合、且つ、伸縮可能に構成されている。そして、その伸縮は、上述のように前記第１，第２のボールチェーン５２，５５の伸縮と同期している。
【００２１】
次に、図１２に基づいて、前記ロック手段６の構成例を詳細に説明する。
図１２は、ロック手段を取付けたボトムスラット１０の縦断面図である。
前記ロック手段６は、ボトムスラット１０の両端に設けられており、前記ガイド機構４を構成するガイド縦枠４０に向かって出没可能な係合部６０と、この係合部６０をガイド縦枠４０側に常時付勢するバネ６１と、係合部６０の一部及び前記バネ６１を収納する収納部６２を設け、一方、前記ガイド縦枠４０に、前記係合部６０が係合する係合ピン６３と、この係合ピン６３を固定する固定枠６４を備えている。
【００２２】
前記係合部６０は、その先端に摺動カーブ６０ａが形成されており、ボトムスラット１０をガイド機構４のガイド下枠４１に当たるまで、降下させると、前記係合部６０の先端が係合ピン６３に当接し、係合部６０がその摺動カーブ６０ａに従って、前記バネ６１に抗して、摺動幅だけ内側に入り込む。
そして、ボトムスラット１０が完全に降下した時点で、前記バネ６１により、係合部６０が常時付勢されている位置に復帰して、前記ボトムスラット１０がロックされる。
【００２３】
以上のような構成の揺動機構は、次のように作用する。
前記ロック手段６により、ボトムスラット１０がロックされた状態において、各スラット１，１，１…を巻上げれば、図１３に示したように、第１及び第２のボールチェーン５２，５５及び各スラット１は伸長し、各スラット１が揺動可能な状態になる。
それ以上の巻上げ力は、第１のボールチェーン５２においては、前記バネ５８に吸収され、第２のボールチェーン５５においては、図１４に示したように、前記各長ピン５０，５０，５０…を中心に、短ピン５３を回動させる力に変換され、各スラット１，１，１…を揺動させる。
よって、スラット１の揺動操作を、同一装置により行うことができ、加えてスラット巻上操作のみにより、スラット１を揺動させ開放することができ、揺動の操作性を快適なものにすることができる。
【００２４】
上記実施態様では、第１，第２の伸縮自在手段として、第１，第２のボールチェーン５２，５５を用いていたが、図１５（イ）に示したように可撓性の第１，第２のワイヤー５２Ａ，５５Ａにより構成してもよい。
これらの第１，第２のワイヤー５２Ａ，５５Ａには、外吊金具５１Ａ…，
内吊金具５４Ａ…が、各スラットを揺動可能な間隔で、複数、配置されている。前記外吊金具５１Ａ及び内吊金具５４Ａは、前記前記外吊金具５１及び内吊金具５４と同様の機能を果たすもので、第１，第２のワイヤー５２Ａ，５５Ａにそれぞれ固着されている。
そして、各ワイヤー５２Ａ，５５Ａは、可撓性を備えているので、図１５（イ），（ハ）に示したように、それぞれ上下端間において伸長又は短縮する伸縮機能を備えている。
【００２５】
なお、上記図１２、図１６及び図１７に基づいて、上記ロック手段６の解除装置及び解除方法について説明する。
前記左右のロック手段６，６を構成する各係合部６０の終端には、前記バネ６１，６１が巻かれたガイド棒６５，６５が設けられ、それらのガイド棒６５，６５は、前記収納部６２，６２から、それぞれ中央に向かって突出し、その中間において、前記ボトムスラット１０に配置されたロック解除装置６６に接続されている。
【００２６】
このロック解除装置６６は、回動レバー６６０と、この回動レバー６６０を取付けると共に、その軸６６１を中心に、略点対称の位置に設けられた係止突起６６２，６６２を回転させる回転板６６３と、この回転板６６３を軸着すると共に、前記係止突起６６２，６６２の回動軌跡に一致させた係止突起用ガイド孔６６４，６６４を備えた本体６６５と、前記係止突起６６２，６６２を取付ける係止孔６６６，６６６を一端に設けると共に、他端に前記ガイド棒６５，６５を取付けた連結棒６６７，６６７からなっている。
【００２７】
このロック手段６，６の解除装置は、次のように操作される。
前記回動レバー６６０を図１２の紙面上、反時計周りに回動させると、前記係止突起６６２，６６２が係止突起用ガイド孔６６４，６６４にガイドされて、やはりそれぞれ反時計周りに回動し、係止突起６６２，６６２が連結棒６６７，６６７をそれぞれ引き寄せる。
その結果、前記バネ６１，６１の付勢力に抗して、前記係合部６０，６０が、係合ピン６３，６３から離れ、ロックが解除されるようになっている。
【００２８】
なお、前記回転体６６３の下部には停止爪６６３ａが形成され、その停止爪６６３ａが、本体６６５に固着されている板バネ６６５ａの山を乗り越えることにより、ロックの解除状態を保持できるようになっている。
このように、ロック解除装置６６を設けることにより、スラット１により開口部Ｏを閉鎖しても、前記回動レバー６６０の回動という単純な操作により、ロックを解除できる。よって、火災等の緊急事態にも、迅速に対処できる。
【００２９】
前記各スラット１の開放状態においても、前記ロック手段のロック状態を保持できることが好ましい。その保持装置の構成例について、上記図１２、図１６及び図１７を参照しつつ説明する。
この保持装置は、前記回動レバー６６０を回転体６６３から着脱自在な構成とし、またロック位置にある回動レバー６６０の回動を規制する規制装置６７からなっている。
【００３０】
まず、前記回動レバー６６０の着脱自在な構成は、回転体６６３に前記回動レバー６６０用のポケット６６０ａを設けたことにより達成される。
また、規制装置６７は、前記ボトムスラット１０の次段スラット１１裏面に設けられたレール溝６７０と、このレール溝６７０をスライドするスライド板６７１からなっている。
【００３１】
上記保持装置の使用方法は次の通りである。
まずロック状態にある回動レバー６６０を回転体６６３のポケット６６０ａから引き抜く。
次に、前記スライド板６７１を前記レール溝６７０に沿って、図面上、右位置から左位置にスライドさせる。
その後、引き抜いた回動レバー６６０を前記ポケット６６０ａに差戻し、スラット１を揺動して開放状態にすればよい。
【００３２】
この保持装置によれば、図１７に示すように、回動レバー６６０の回動がスライド板６７１に規制されて、ロック状態が維持され、スラットを開放状態にしても、防犯性を維持できる。
もちろん、スラットを開放状態とする前の閉鎖状態、即ち、各スラット１が図１６に示したような状態においても、上記保持装置を同様に作用させることにより、防犯性を高めることができる。
【００３３】
次に、上記スラット１の好ましい構成例を図１８及び図１９に基づいて説明する。
前記スラット１は、スラット本体１００と、その本体１００の長手方向の両端に嵌着されたスラットホルダー１１０から構成されている。
【００３４】
スラット本体１００は、例えばアルミニウム等の金属材料の押出成形によって形成したもので、中空状の胴部１０１と、同胴部１０１の上方に形成された上端部１ａと、下方に形成された下端部１ｂからなっている。
【００３５】
前記胴部１０１の室内側に臨む裏面１０５には、長手方向の中心線に沿い、且つ、両端部寄りの位置に、それぞれ固着孔部１０２，１０２が設けられており、これらの固着孔部１０２，１０２には、胴部１０１両端の中空開口部１０３，１０３から、前記スラットホルダー１１０，１１０が挿入されて取付けられるようになっている。
【００３６】
このような構成のスラット本体１００は、約０．６ミリの板厚にて成形されている。押出成形であるため、板厚０．６ミリの中空状であっても、十分な剛性を出すことができるので、製造原価を下げることができ、また、製品自体の重量も減らすこともできる。
【００３７】
前記スラットホルダー１１０は、前記中空開口部１０３，１０３から差込まれる差込部１１１と、中空開口部１０３，１０３を塞ぐ鍔部１１２とからなる。
各左右のスラットホルダー１１０，１１０は、それぞれ同一の構成であるので、一方のスラットホルダー１１０を図１９に図示する。
【００３８】
前記差込部１１１は、前記胴部１０１の中空形状と略同一形状の基部１１１ａから先端１１１ｂ方向にテーパが付けられ、楔状に成形されている。
前記差込部１１１の略中心には、切欠き１１１ｃが形成され、この切欠１１１ｃにより弾性が付与された断面階段状の固着突起１１１ｄを設けている。
【００３９】
前記鍔部１１２は、前記スラット本体１００の断面形状に相似した形状となっており、それぞれ前記スラット本体１００の上端部１ａ及び下端部１ｂに対応するように、上係合部１１２ａと下係合部１１２ｂが形成されている。
【００４０】
このように構成されたスラットホルダー１１０の差込部１１１を、その鍔部１１２が前記スラット本体１００の中空開口部１０７に当接するまで差込こむと、前記スラット本体１００の固着孔部１０６に、前記スラットホルダー１１０の固着突起１１１ｄが嵌着されるようになっており、スラット本体１００にスラットホルダー１１０が固定される。
【００４１】
上記構成のスラット１は、押出加工されたアルミの中空材であるので、剛性が高く、耐風圧性を備えている。よって、風圧等の外力により、スラットが振動することを防止できる。
また、スラット１の表面１０４が外側に膨らんでいるので、スラット表面１０４の埃等は、雨等により容易に洗い流される。
さらに、スラット本体１００にスラットホルダー１１０を嵌着する構成であるので、スラット１をワンタッチで組立ることができる。
【００４２】
次に、前記巻上巻戻機構の好ましい構成例を説明する。
前記巻上巻戻機構３は、図１及び図２に示したように、スラット巻取部３０と、このスラット巻取部３０を駆動するスラット巻取駆動部３１から構成されており、そのスラット巻取部の正面縦断面図を図２０に、同側面図を図２１に、スラット巻取駆動部３１の平面図を図２２に、同側面図を図２３に示す。
【００４３】
前記スラット巻取部３０は、図２０及び図２１に示したように、シャッターボックス２に軸支された中心軸３００と、この中心軸３００を巻上方向に付勢するバネ３０１と、この中心軸３００に同軸に取付けられ、且つ、回転する巻取体３０２と、その巻取体３０２の一方の鍔部に固着された大スプロケット３０３からなっている。
【００４４】
前記スラット巻取駆動部３１は、図２２及び図２３に示したように、前記大スプロケット３０３に対してチェーン３０４を介して、回転力を伝達する小スプロケット３１０と、この小スプロケット３１０を固着した駆動軸３１１と、この軸３１１に固定されているプーリ３１２とから駆動部が構成されていると共に、このプーリ３１２に回転駆動力を付与するスラット操作手段としてのボールチェーン３１３からなっている。
【００４５】
このように、本発明のシャッターでは、スラット巻取駆動部３１をスラット巻取部３０から分離させたことことにより、その駆動部にトラブルが発生した場合に、トラブルの発生個所がスラット１に妨げられずに、その発見が容易となり、巻上巻戻機構３のメンテナンスの容易化を図ることができる。
【００４６】
上記スラット巻取駆動部３１は、建物躯体側に固定された取付け枠３１４を介することにより、前記スラット巻取部３０の下方であって、建物躯体Ｋとスラット１間に配置されている。
よって、従来例のような内部壁の造作は不要となり、また室内側の意匠性に優れ、さらにメンテナンスの容易性が高まっている。
なお、前記プーリ３１２とこのプーリ３１２に回転力を与えるボールチェーン３１３は、前記取付枠３１４に固定されているカバー３１５によりカバーされており、ボックス２の繰出口３１６から繰り出されるようになっている。
【００４７】
次に、上記繰出口３１６に固定されている前記ボールチェーン用のホルダー３１７について図２４及び図２５に基づいて説明する。
このホルダー３１７は、ボールチェーン３１３の各ボール間の接続部３１３ａをホールドするもので、前記繰出口３１６に連続する板体３１７ｂに、室内側のボールチェーン３１３ｃの接続部３１３ａの径に対応する切欠き３１７ｄを設けることによって構成されている。
よってスラット１の動きを規制するホルダー３１７の構成も簡単なものにすることができる。
【００４８】
前記巻上巻戻機構３を収容するシャッターボックス２は、図２６及び図２７に示したように、カバー本体２０と躯体側取付部２１に分割されていると共に、前記カバー本体２０には、前記スラット１，１，１…の巻取及び巻戻をガイドするガイド片２２が設けられている。
前記躯体側取付部２１は、開口部Ｏ周辺の壁仕上げ前に、躯体側に固定される部分で、上片２１０と左右側片２１１からなっている。
なお、前記ガイド片２２により、表側１０４及び裏面１０５をそれぞれ外側方向に膨らませたスラット１を、外側から室内側に巻取る内巻きとしても、可及的にシャッターの出張幅を狭めることができるようになっている。
【００４９】
上記構成のシャッターを躯体側に取付ける手順は、次の通りである。
まず、壁仕上げ前に、開口部Ｏの上部にシャッターボックス２の躯体側取付部２１を固定すると共に、開口部Ｏの下部に下枠４１（図１参照）、ガイド枠４０，４０を固定する。そして、壁仕上げをおこなう。
この場合、シャッターボックス２の内、躯体側取付部２１のみが躯体側に固定されているので、壁仕上げ作業は容易である。
最後に、巻上巻戻機構等のシャッター本体を左右側片２１１に組み入れて、カバー本体２０を前記躯体側取付部２１に固定する。
よって、壁仕上げ前に、躯体側取付部２１のみを躯体側に取付けることより、壁仕上げの施工性を高めている。
【００５０】
【発明の効果】
請求項１及び請求項２に記載の発明によれば、スラットの開閉操作とスラットの揺動操作を、同一装置により行うことができ、加えてスラット巻上操作のみにより、スラットを揺動させ開放することができ、揺動の操作性を快適なものにすることができる。
【００５１】
請求項３に記載の発明によれば、スラットの揺動により、水平方向に回動した開放状態のスラットであっても、保持装置により、ロック手段のロックが保持されるので、防犯機能の万全が図られる。
【図面の簡単な説明】
【図１】  実施形態に係るシャッターの概略構成を示す側面断面図、
【図２】  同正面の片側断面図、
【図３】  同平面片面断面図、
【図４】  実施形態に係るシャッターの下部スラットの要部正面図、
【図５】  同側面断面図、
【図６】  同シャッターの上部スラットの要部正面図、
【図７】  同側面断面図、
【図８】  実施形態に係るシャッターの揺動機構の要部斜視図、
【図９】  同分解斜視図、
【図１０】  （イ）は、同横断面図、（ロ）は、同縦断面図、
【図１１】  （イ）は、同横断面図、（ロ）は、同縦断面図、
【図１２】  実施形態に係るシャッターのロック手段を示したボトムスラットの縦断面図、
【図１３】  同シャッターの揺動機構の作用説明図、
【図１４】  同シャッターの揺動機構の作用説明図、
【図１５】  （イ）は、別例に係る伸縮自在手段の構成斜視図、（ロ）は同手段の要部斜視図、（ハ）は、同手段の作用説明図、
【図１６】  実施形態に係るシャッターの保持装置の正面図、
【図１７】  同側面図、
【図１８】  スラット本体の正面図、
【図１９】  スラットホルダーの斜視図、
【図２０】  実施形態に係るシャッターの巻上巻戻機構を構成するスラット巻取部の正面縦断面図、
【図２１】  同側面図、
【図２２】  同巻上巻戻機構を構成するスラット巻取駆動部の平面図、
【図２３】  同側面図、
【図２４】  実施形態に係るシャッターのスラット巻取駆動部を構成するホルダーの取付配置図、
【図２５】  同平面図、
【図２６】  シャッターボックスの構成例を示した側面断面図、
【図２７】  同平面断面図。
【符号の説明】
１  スラット                    ２  シャッターボックス
３  巻上巻戻機構                ４  ガイド機構
５  揺動機構                    ６  ロック手段
１０  ボトムスラット            １１  次段スラット
１２  所定位置のスラット        １３  最上端のスラット
２０  カバー本体                ２１  躯体側取付部
２２  ガイド片
３０  スラット巻取部            ３１  スラット巻取駆動部
４０  ガイド縦枠                ４１  ガイド下枠
５０  長ピン                    ５１  外吊金具
５２  第１のボールチェーン      ５３  短ピン
５４  内吊金具                  ５５  第２のボールチェーン
５６  中間金具                  ５７  腕部材
５８  バネ
６０  係合部                    ６１  バネ
６２  収納部                    ６３  係合ピン
６４  固定枠                    ６０ａ  摺動カーブ
６５  ガイド棒                  ６６  ロック解除装置
６７  規制装置
１００  スラット本体            １１０  スラットホルダー
１０１  胴部                    １ａ  上端部
１ｂ  下端部                    １０４  表側
１０５  裏面                    １０２  固着孔部
１０３  中空開口部              １１１  差込部
１１２  鍔部                    １１１ａ  基部
１１１ｂ  先端                  １１１ｃ  切欠き
１１１ｄ  固着突起              １１２ａ  上係合部
１１２ｂ  下係合部
２１０  上片                    ２１１  左右側片
３００  中心軸
３０１  バネ                    ３０２  巻取体
３０３  大スプロケット          ３０４  チェーン
３１０  小スプロケット          ３１１  駆動軸
３１２  プーリ                  ３１３  ボールチェーン
３１４  取付け枠                ３１５  カバー
３１６  繰出口                  ３１３ａ  接続部
３１７ｂ  板体                  ３１７ｄ  切欠き
５１０  ボールチェーン用孔
５１１  ストッパ用孔            ５１１ａ  ５１１ｂ  段差部
５１２  長ピン用孔
５１３  ストッパ                ５１３ａ  フック
５２０  ボール                  ５２１  孔
５２２  ピン                    ５４２  短ピン用孔
６６０  回動レバー              ６６１  軸
６６２  係止突起                ６６３  回転板
６６４  係止突起用ガイド孔      ６６５  本体
６６６  係止孔                  ６６７  連結棒
６６３ａ  停止爪                ６６５ａ  板バネ
６７０  レール溝                ６７１  スライド板
【図１】
0004099290.tif 000002
【図２】
0004099290.tif 000003
【図３】
0004099290.tif 000004
【図４】
0004099290.tif 000005
【図５】
0004099290.tif 000006
【図６】
0004099290.tif 000007
【図７】
0004099290.tif 000008
【図８】
0004099290.tif 000009
【図９】
0004099290.tif 000010
【図１０】
0004099290.tif 000011
【図１１】
0004099290.tif 000012
【図１２】
0004099290.tif 000013
【図１３】
0004099290.tif 000014
【図１４】
0004099290.tif 000015
【図１５】
0004099290.tif 000016
【図１６】
0004099290.tif 000017
【図１７】
0004099290.tif 000018
【図１８】
0004099290.tif 000019
【図１９】
0004099290.tif 000020
【図２０】
0004099290.tif 000021
【図２１】
0004099290.tif 000022
【図２２】
0004099290.tif 000023
【図２３】
0004099290.tif 000024
【図２４】
0004099290.tif 000025
【図２５】
0004099290.tif 000026
【図２６】
0004099290.tif 000027
【図２７】
0004099290.tif 000028